(57)【要約】【課題】振動や衝撃による接続不良や瞬間的な接続断を防止することができる、スピーカ端子と回路基板との端子接続構造及びそれを備えた携帯無線通信機器を提供する。【解決手段】スピーカ１０の＋極端子及び−極端子であるスピーカ側接続端子９１、９２と、回路基板の、スピーカ側接続端子の各々と対向する位置に配置され、スピーカ側接続端子と接触される回路基板側接続端子８（８１、８２）と、を備え、スピーカ側接続端子及び回路基板側接続端子の少なくとも一方はバネ材を用いた接続端子で成り、回路基板側接続端子は、＋極端子及び−極端子の各々に対して少なくとも２つずつ設けられ、その２つは互いに所定の角度回転した位置関係に配置されている。【選択図】図６
2020065170.tif 000002
【特許請求の範囲】
【請求項１】
スピーカ端子と回路基板とを接続するスピーカ端子接続構造であって、
前記スピーカの＋極端子及び−極端子であるスピーカ側接続端子と、
前記回路基板の、前記スピーカ側接続端子の各々と対向する位置に配置され、前記スピーカ側接続端子と接触される回路基板側接続端子と、を備え、
前記スピーカ側接続端子及び回路基板側接続端子の少なくとも一方はバネ材を用いた接続端子で成り、
前記回路基板側接続端子は、前記スピーカ側接続端子の＋極端子及び−極端子の各々に対して少なくとも２つずつ設けられ、その２つは互いに所定の角度回転した位置関係に配置されていることを特徴とするスピーカ端子接続構造。
【請求項２】
前記スピーカ側接続端子及び回路基板側接続端子のいずれもがバネ材で成ることを特徴とする請求項１記載のスピーカ端子接続構造。
【請求項３】
前記スピーカ側接続端子及び回路基板側接続端子のいずれか一方がバネ材で成る端子であり、他方が接点端子であることを特徴とする請求項１記載のスピーカ端子接続構造。
【請求項４】
前記回路基板側接続端子の＋極端子及び−極端子の各々が、それらの間を挟んで線対称に配置されていることを特徴とする請求項１乃至請求項３のいずれか一項に記載のスピーカ端子接続構造。
接続構造。
【請求項５】
請求項１乃至請求項４のいずれか一項に記載のスピーカ端子接続構造を備えた携帯無線通信機器。
【発明の詳細な説明】
【技術分野】
【０００１】
本発明は、スピーカ端子と回路基板とを接続する端子接続構造及びその接続構造を備えた携帯無線通信機器に関する。
【背景技術】
【０００２】
従来、スピーカ端子と回路基板との接続は、リード線の半田付けによって行われていた。リード線の半田付けは、接触不良や断線に対しては有利ではあるが、ロボットによる生産には不適であって生産効率が良くない。そこで、半田付けを行わず、生産自動化への対応のために、回路基板のスピーカ接続用回路座とスピーカの裏面に設けた板バネ端子とを対向圧接させる接続構造が開示されている（例えば特許文献１参照）。
【０００３】
また、同じく自動実装対応を図った、板ばね端子を用いた接続構造において、スピーカの軸方向に可動可能な一対の板ばね状端子の接点が、スピーカから略同じ距離にある一対の音響機器の音声出力端子と接続される構成とし、振動による接点不良に起因した瞬断等の防止を図ったものがある（例えば特許文献２参照）。また、コイルスプリングでプランジャーを付勢して成るプランジャータイプの接続端子が知られている。
【先行技術文献】
【特許文献】
【０００４】
【特許文献１】実開平０２−０５７６９５号公報
【特許文献２】特許第３７８３３６９号公報
【発明の概要】
【発明が解決しようとする課題】
【０００５】
しかしながら、特許文献１に示されるような接続構造では、振動による接触不良が発生し易く、音声出力の瞬断や音声が出力されない問題を招く虞がある。また、特許文献２に示されるような接続構造は、一対の可動接点を、スピーカのヨークの両外側のフレーム外周に配置しているため、接続構造が大型化し、ハンディトランシーバのような小型の携帯機器に適用することは困難である。
【０００６】
また、特許文献２には、可動接点を２つ設けることで、接点故障率の低減を図ることも開示されているが、これら可動接点は互いに平行する板ばね状端子に設けられているため、同じ方向の振動には弱いため、２つの接点が同時に接触不良を起こす虞がある。また、プランジャータイプの接続端子を用いると高価となる。
【０００７】
本発明は、上記問題を解消するものであり、振動や衝撃による接続不良や瞬間的な接続断を防止することができる、スピーカ端子と回路基板との端子接続構造及びそれを備えた携帯無線通信機器を提供することを目的とする。
【課題を解決するための手段】
【０００８】
本発明は、スピーカ端子と回路基板とを接続するスピーカ端子接続構造であって、前記スピーカの＋極端子及び−極端子であるスピーカ側接続端子と、前記回路基板の、前記スピーカ側接続端子の各々と対向する位置に配置され、前記スピーカ側接続端子と接触される回路基板側接続端子と、を備え、前記スピーカ側接続端子及び回路基板側接続端子の少なくとも一方はバネ材を用いた接続端子で成り、前記回路基板側接続端子は、前記スピーカ側接続端子の＋極端子及び−極端子の各々に対して少なくとも２つずつ設けられ、その２つは互いに所定の角度回転した位置関係に配置されていることを特徴とする。
【０００９】
また、上記接続構造において、スピーカ側接続端子及び回路基板側接続端子のいずれもがバネ材で成ることが望ましい。また、スピーカ側接続端子及び回路基板側接続端子のいずれか一方がバネ材で成る端子であり、他方が接点端子であってもよい。
【００１０】
また、上記接続構造において、回路基板側接続端子の＋極端子及び−極端子の各々が、その中間線を挟んで線対称に配置されていることが望ましい。
【００１１】
また、本発明は、上記のスピーカ端子接続構造を備えた携帯無線通信機器である。
【発明の効果】
【００１２】
本発明によれば、スピーカ側接続端子の＋極端子及び−極端子の各々に対して２つずつ設けられた回路基板側接続端子が、互いに所定の角度回転した位置関係に配置されているので、接続工数を削減しつつ安価に、振動や衝撃に強いスピーカ端子接続構造を得ることができる。
【図面の簡単な説明】
【００１３】
【図１】本発明の一実施形態に係るスピーカ端子接続構造を備えた携帯無線通信機器の外観図。
【図２】同携帯無線通信機器においてフロントパネルを外して回路基板が収納されているリアパネル内面を示す平面図。
【図３】同携帯無線通信機器なにおいてリアパネルを外してスピーカが収納されているフロントパネル内面を示す斜視図。
【図４】前記回路基板を示す斜視図。
【図５】前記回路基板上に設けられた接続端子の拡大斜視図。
【図６】前記回路基板の接続端子が前記スピーカの接続端子に接続される状況を、回路基板を透視して示した拡大斜視図。
【図７】前記回路基板の接続端子とスピーカ接続端子との接続部の、接続前後の状態を示す部分側面図。
【発明を実施するための形態】
【００１４】
以下、本発明の一実施形態に係るスピーカ端子接続構造及びそれを備えた携帯無線通信機器について、図面を参照して説明する。図１は、本実施形態に係るスピーカ端子接続構造を備えた携帯無線通信機器１を示す。携帯無線通信機器１は、フロントパネル２及びリアパネル３により構成されるハウジングを備え、フロントパネル２とリアパネル３とは、互いの開口端縁同士を突き合わせて結合される。フロントパネル２には、内装されたスピーカの音声出力用孔４、表示用のＬＣＤ５、操作ボタン６等が設けられている。リアパネル３には、回路基板等が内装されている。携帯無線通信機器１は、前記両パネル２，３の開口端縁同士が突き合わせ結合されることにより、互いに接触、接続されるスピーカ側接続端子と回路基板側接続端子を内装している。
【００１５】
図２は、携帯無線通信機器１のリアパネル３に収納された回路基板７側を示す。図３は、携帯無線通信機器１のフロントパネル２に収納されたスピーカ１０側を示す。図３では、スピーカ１０の背面側のフレームやヨーク、接続端子９等が見えている。これらの図において、スピーカ１０はフロントパネル２に対して、また、回路基板７はリアパネル３に対して、それぞれ所定位置及び所定高さ位置に固定される。回路基板７は、リアパネル３の内面にネジ等により固定され、回路基板側接続端子８を備える。回路基板側接続端子８は、スピーカ側接続端子９と接触されるものであり、導電性のバネ材を用いた接続端子８１，８２から成る。この回路基板側接続端子８は、リアパネル３とフロントパネル２とが分離された状態でのリアパネル３の開口に面する回路基板７上の所定位置に設けられる。
【００１６】
スピーカ１０は、フロントパネル２の前面にある音声出力用孔４から音声出力できるようにフロントパネル２にネジ等により固定され、回路基板側接続端子８と接触されるスピーカ側接続端子９を備える。スピーカ側接続端子９は、スピーカ１０の背面に備えられた＋極端子及び−極端子である導電材で成る接続端子９１，９２から成る。前記回路基板側接続端子８の接続端子８１，８２は、リアパネル３とフロントパネル２とが結合されたとき、回路基板７上の、スピーカ側接続端子９の接続端子９１，９１の各々と対向する位置に配置されている。接続端子８１，８２は、接続の確実化を図るため、＋極端子及び−極端子である接続端子９１，９１の各々に対して少なくとも２つずつ設けられている（この詳細は後述）。
【００１７】
このように構成された、リアパネル３（図２）とフロントパネル２（図３）との開口端縁同士を突き合わせて固定することで、回路基板側接続端子８（８１，８２）とスピーカ側接続端子９（９１，９２）とが圧接接触し、電気的に接続される。
【００１８】
上記実施形態では、一方の回路基板側接続端子８にバネ材端子を用いて、他方のスピーカ側接続端子９には通常の接点端子（電極）を用いたものを示したが、スピーカ側接続端子９及び回路基板側接続端子８の両者にバネ材を用いたものであってもよい。一方に通常の接点端子（電極）を用いた場合、安価で低コスト化が図れる。また、両者にバネ材を用いた端子の場合は、接触の追従性が向上するため、接続のより高度な確実性が図れる。
【００１９】
次に、図４乃至図６を参照して、回路基板側接続端子８及びスピーカ側接続端子９の配置の詳細を説明する。
【００２０】
図４及び図５は、回路基板７上に設けられた回路基板側接続端子８の接続端子８１，８２を示す。接続端子８１は、バネ材端子８１Ａ，８１Ｂから成り、接続端子８２は、バネ材端子８２Ａ，８２Ｂから成る。これらバネ材端子８１Ａ，８１Ｂ，８２Ａ，８２Ｂは、金属板を折り曲げることにより形成されたものを用いればよい。
【００２１】
バネ材端子８１Ａとバネ材端子８１Ｂは、互いに所定の角度、例えば略９０度回転した位置関係（Ｌ字状）に配置され、同様に、バネ材端子８２Ａとバネ材端子８２Ｂも、互いに所定の角度、例えば略９０度回転した位置関係（Ｌ字状）に配置されている。これら互いに所定の角度、例えば略９０度回転した位置関係のものが、１対の接続端子となる。ここに、略９０度回転した位置関係とは、バネ材端子は、通常、応力が加わると撓む板バネ材を用いた構造であるため、端子自身に方向性を有していることに因る。また、バネ材端子８１Ａ，８１Ｂとバネ材端子８２Ａ，８２Ｂとは、それらの間（図５の一点鎖線ＣＬ）を挟んで線対称に配置されている。
【００２２】
図６は、フロントパネル２に固定されたスピーカ１０側に設けられた接続端子９１，９２を示す。同図では、回路基板側の接続端子８１，８２がスピーカ側の接続端子９１，９２（電極）に接続される状況を、回路基板７を透視して示している。一方の接続端子９１は、スピーカの＋極端子であり、他方の接続端子９２は、スピーカの−極端子である。接続端子９１と接続端子９２とは、両者間を挟んで線対称に配置されている。＋極端子と−極端子とは逆であってもよい。接続端子９１には、接続端子８１のバネ材端子８１Ａ，８１Ｂが接続され、接続端子９２には、接続端子８２のバネ材端子８２Ａ，８２Ｂが接続される。
【００２３】
なお、本実施形態では、スピーカ１０側の接続端子９１，９２として接点端子（電極）を用いたものを示したが、これらの接続端子９１，９２にも、バネ材端子を用いてもよい。その場合、接続端子９１，９２の各々において、少なくとも２つのバネ材端子は、互いに所定の角度、例えば略９０度回転した位置関係に配置され、又は、Ｌ字状に繋げた形状とすればよい。また、スピーカ側の接続端子９１，９２の大きさを、回路基板側の接続端子８１，８２の大きさより大きくしておくことが望ましい。また、スピーカ側の接続端子の各々において、少なくとも２つのバネ材端子とした場合、これらと回路基板側の２つの接続端子８１，８２とを接続した状態において、スピーカ側の接続端子と回路基板側の接続端子が所定の角度（例えば両者が直交する角度）をなすように配置してもよい。この場合、スピーカ側の接続端子９１，９２の大きさを回路基板側の接続端子８１，８２の大きさより必ずしも大きくしておく必要はない。また、スピーカ側の接続端子９１，９２としては、回路基板側の２つの接続端子８１，８２が接続できる面積の天面を有した直方体や立方体等を用いることもできる。このように回路基板側とスピーカ側の両者の接続端子にバネ材端子を用いる形態は、回路基板７とスピーカ１０との距離が離れている場合に好適である。
【００２４】
図７は、回路基板７側の接続端子８１の一つであるバネ材端子８１Ａと、スピーカ１０側の接続端子９の一つである接点端子９１との接続部を示し、接続前と接続後の状態を示している。接続後には、バネ材端子８１Ａが接点端子９１に押圧力をもって当接され、バネ材端子８１Ａが撓んだ状態となり、接触接続は確実なものとなる。他の接続部も同様である。このようにして、携帯無線通信機器１として、リアパネル３とフロントパネル２とが固定された状態では、回路基板７側のバネ材端子８１Ａ，８１Ｂは、スピーカ１０側の接点端子９１にそれぞれ接触接続され、また、回路基板７側のバネ材端子８２Ａ，８２Ｂは、スピーカ１０側の接点端子９２にそれぞれ接触接続される。
【００２５】
上記のように構成された本実施形態の端子接続構造の作用効果を説明する。携帯無線通信機器１に振動が加わったとき、互いに接触している接続端子８１と接続端子９１、接続端子８２と接続端子９２の各々にズレが生じることがある。そのとき、各々所定の角度、例えば略９０度回転した位置関係にある１対の接続端子を用いているため、ズレの方向が１対の接続端子のそれぞれで異なる。このため、一対のうちの、一方の接続端子（バネ材端子、接点端子）が接触不良や断線を起こしたとしても、他方の接続端子（バネ材端子、接点端子）は接続を維持することができる。従って、振動や衝撃による接続不良を防止し、回避することができる。
【００２６】
上記のように、１対の接点端子が、互いに所定の角度、例えば略９０度回転した位置関係にあるのは、振動が加わったときに接触位置にズレが生じても接触不良が生じないようにするためであって、位置関係は、上記作用効果が得られる範囲内であれば、例えば６０度〜１２０の範囲であっても構わない。本請求の範囲でいう「所定の角度回転」は、そのような場合をも含む。
【００２７】
また、バネ材端子８１Ａ、８１Ｂとバネ材端子８２Ａ，８２Ｂとが線対称に配置され、また、接点端子９１と接点端子９２とが線対称に配置されているので、対称軸の左右でバランスが取れ、接触圧を均等にすることが容易となる。
【００２８】
また、上記構成により、半田付けを行わず、生産自動化への対応が可能で、生産工数が少なく、さらには、高価なプランジャータイプの接続端子を用いる必要がなくなり、安価な接続構造を提供することができる。
【００２９】
なお、本発明は、上記実施形態の構成に限られず、種々の変形が可能である。例えば、上記実施形態では、スピーカ１０側の接続端子９１，９２として接点端子（電極）を用い、回路基板７側の接続端子８１，８２として、バネ材端子８１Ａ，８１Ｂ，８２Ａ，８２Ｂを用いたものを示したが、これとは逆に、前者にバネ材端子、後者に接点端子（電極）を用いてもよい。また、バネ材端子８１Ａ、８１Ｂとバネ材端子８２Ａ，８２Ｂとが線対称に配置され、接点端子９１と接点端子９２とが線対称に配置されているものを示したが、必ずしも、線対称でなくてもよい。また、上記実施形態では、互いに所定の角度、例えば略９０度回転した位置関係の１対の接続端子や接点端子の配置が、Ｌ字状になっているが、これに限られるものではなく、例えば逆Ｌ字状、Ｔ字状等、２つの方向性を持つもの、さらには、スター状の３つの方向性を持つものあっても構わない。
【符号の説明】
【００３０】
１  携帯無線通信機器
２  フロントパネル
３  リアパネル
７  回路基板
８  回路基板側接続端子
８１，８２  接続端子
８１Ａ，８１Ｂ，８２Ａ，８２Ｂ  バネ材端子
９  スピーカ側接続端子
９１，９２  接続端子
１０  スピーカ
【図１】
2020065170.tif 000003
【図２】
2020065170.tif 000004
【図３】
2020065170.tif 000005
【図４】
2020065170.tif 000006
【図５】
2020065170.tif 000007
【図６】
2020065170.tif 000008
【図７】
2020065170.tif 000009